(57)【要約】      （修正有）【課題】ペットの排便捕集を簡便・安価にする汚物受け処理器具を提供する。【解決手段】先端上部に環状枠１を設け、環状枠には把手２があり、環状枠の下部には受け皿３を設け、受け皿にも把手４を設ける。把手付環状枠１と把手付受け皿３は連結軸５にて連結されており、環状枠を水平にして受け皿を下方に転回できる様に構成する。さらに、環状枠の上部に袋を乗せ、その上にペーパーをかぶせ、環状枠１と受け皿３との間に挟み込ませて汚物受け処理器具とする。【選択図】図１
0003178901.tif 000002
【実用新案登録請求の範囲】
【請求項１】
先端上部に環状枠を設け、環状枠には把手があり、環状枠の下部には受け皿を設け、受け皿にも把手が付いている汚物受け処理器具。
【請求項２】
把手付環状枠と把手付受け皿は連結軸にて連結されており、環状枠を水平にして受け皿を下方に転回できる請求項１に記載の汚物受け処理器具。
【請求項３】
環状枠の上部に袋を乗せ、その上にペーパーをかぶせ、環状枠と受け皿との間に挟み込ませる請求項１と請求項２に記載の汚物受け処理器具。
【考案の詳細な説明】
【技術分野】
【０００１】
本考案は排便捕集を簡便・安価にする方法を図った汚物受け処理器具に関する。
【背景技術】
【０００２】
例えばペット（犬）が散歩中に排便することが肝要であり、飼い主は犬の汚物（糞）を
放置することなく回収することがマナーである。
【０００３】
ペット（犬）の汚物処理方法として、新聞紙等で汚物を包み込み持ち帰り生ゴミ処理とする方法が用いられている。また袋に手を入れて汚物を拾う方法、手にペーパーを持ち直接汚物を受け取る不潔な方法も見受けられる。
【０００４】
市販されている排水処理できる汚物処理袋１００枚１０００円程で高くないが毎日２回１年１０年とすれば安価とは云えない。（例えば、特許文献１参照。）
【０００５】
スコップで汚物を拾いビニール袋に回収する方法も汚物がスコップに付着して不衛生である。（例えば、特許文献２参照）
【０００６】
間接的であるが手で汚物を拾う・受け取る方法も、手のひらに感触が伝わり不快・不潔である。ゴミ処理では生ゴミの回収日まで数日間家庭で保管しなくてはならず悪臭また不衛生である。
【先行技術文献】
【特許文献】
【０００７】
【特許文献１】特許第３９０９０７９号
【特許文献２】特願２００５-３１８８１５
【考案の概要】
【考案が解決しようとする課題】
【０００８】
従来の汚物処理器具では直接汚物が器具に付着して不衛生であり、またゴミ処理される汚物も生ゴミ回収日まで家庭で保管せざるを得なく悪臭を伴い不衛生である。
【０００９】
ペットの排便処理であれば毎日毎回の散歩にて排便受け処理は簡便・確実・迅速・容易でなくてはならず、実質安価であることが望ましい  
【課題を解決するための手段】
【００１０】
上記の目的を達成するために本考案の汚物受け処理器具は、本体上部に環状枠を設け、下部に受け皿を設けた。
【００１１】
汚物受け処理器具の実際の使用時には袋と排水処理できるペーパーをかぶせて使用する。
【考案の効果】
【００１２】
本考案に係わる汚物受け処理器具は、手による汚物の感触はまったくなく、汚物受け処理後は汚物はペーパーに包含され袋におさまり、簡便であり清潔である。器具本体にも直接汚物が付着することなく清潔である。
【００１３】
汚物は直ちに水洗トイレに袋の中のみ、ペーパーにくるまったまま流してしまう。
【図面の簡単な説明】
【００１４】
【図１】汚物受け処理器具の実施形態を示す概略図。
【図２】汚物受け処理器具の実施形態を示す概略図。
【図３】汚物受け処理器具の実施形態を示す概略図。
【図４】汚物受け処理器具の使用形態を示す概略図。
【図５】汚物受け処理器具の使用形態を示す概略図。
【図６】汚物受け処理器具の使用形態を示す概略図。
【図７】汚物受け処理器具の使用形態を示す概略図。
【図８】汚物受け処理器具の使用形態を示す概略図。
【図９】汚物受け処理器具の使用形態を示す概略図。
【考案を実施するための形態】
【００１５】
以下、本考案の実施の形態を図１〜図９に基ずいて説明する。
【実施例１】
【００１６】
図１において、汚物受け処理器具は上部に環状枠があり把手がついている、下部には受け皿があり把手がついている、また環状枠と把手の中間点、受け皿と把手の中間点で相互に連結軸にて連結されており、回転軸となっている。
【００１７】
図２は、汚物受け処理器具の平面図で左側先端部の環状枠は上側にあり、下側に受け皿があり、連結軸の右側に環状枠の把手と受け皿の把手がある。
【００１８】
図３は、環状枠の把手と受け皿の把手を共に握っていると図１のように環状枠と受け皿が重なりあうが、環状枠の把手を握ったまま受け皿の把手のみを離すと受け皿の先端部は下方へ下がる。
【００１９】
図４は、汚物受け処理器具を使用する前に袋をセットする仕込み図であり、袋はスーパーストアー等の使用済小袋などをリサイクル使用とし、袋の側面を折りたたんで環状枠の上に乗せる。
【００２０】
図５は、排水処理できるペーパー（トイレットペーパー等）２０ｃｍ程度を図４の袋の上に置く、環状枠から外側へはみ出しているペーパーと袋を環状枠と受け皿の間に環状枠を巻き込むように内側へと入れる。
【００２１】
図６は、汚物受け処理器具の環状枠に袋と排水処理できるペーパーを設置し、環状枠と受け皿の間に納まった汚物受け処理器具の断面図である。
【００２２】
図７は、袋とペーパーを設置された汚物受け処理器具で汚物を捕集したときの汚物受け処理器具の断面図であり、汚物はペーパーの上に確保され、ペーパーの下には袋が敷かれている。
【００２３】
図８は、汚物捕集の袋への収まり断面図、汚物受け処理器具で捕集された汚物は把手の両方を握っている片方受け皿把手のみを徐々にゆるめ握りを離していくと、受け皿の先端がゆっくりと下方へ向き、受け皿の上の汚物はペーパーに包まれ袋の中へとしっかりと収まる。
【００２４】
図９は、袋の中でペーパーに確保された汚物は、汚物受け処理器具の環状枠把手を握ったまま受け皿把手を離すと袋ごと汚物は地面へと落下する。
【００２５】
落下した汚物の袋の上部を簡易に結び、以後水洗トイレで袋の中のみペーパーに包含された汚物を水洗処理をする。
【００２６】
このように汚物受け処理器具は汚物捕集時にリサイクル使用の袋を用い、排水処理ペーパー（トイレットペーパー等）を使用することにより，手による不快な感触もなく、悪臭・不衛生な生ゴミ回収日まで保管することなく水洗処理でき清潔、非常に安価でもある。
【産業上の利用可能性】
【００２７】
汚物受け処理器具は、環状枠・受け皿に袋と排水処理できるペーパーを設置して汚物を捕集するため、直接汚物に接触することなく感触の不快感はない。汚物はペーパーに包含され袋内にスムーズにおさまり、衛生的・簡便・確実に捕集される。      
ペット(犬)の汚物処理用だけでなく適用できる。
【符号の説明】
【００２８】
１    環状枠
２    環状把手
３    受け皿
４    受け皿把手
５    連結軸
【図１】
0003178901.tif 000003
【図２】
0003178901.tif 000004
【図３】
0003178901.tif 000005
【図４】
0003178901.tif 000006
【図５】
0003178901.tif 000007
【図６】
0003178901.tif 000008
【図７】
0003178901.tif 000009
【図８】
0003178901.tif 000010
【図９】
0003178901.tif 000011